(57)【特許請求の範囲】
【請求項１】
切り花用の活け水を収容する水槽を階段状に複数段備えるとともに、電解生成酸性水を活け水として前記水槽内に給水する電解水生成装置を備え、前記電解水生成装置の電解運転により生成された電解生成酸性水を活け水として上段側の水槽内に給水し、同水槽内に給水された活け水を一定の水位に保持しつつ次段の下段側の水槽内にオーバーフローさせて同下段側の水槽内に給水する切り花展示用フラワーショーケースであり、
前記電解水生成装置は、希薄塩水を被電解水とする電解にて電解生成酸性水を生成する有隔膜電解槽を主体とする電解槽機構部と、被電解水である希薄塩水を調製するための濃塩水を収容する濃塩水タンクを主体とする塩水調製機構とを備え、前記電解槽機構部および前記濃塩水タンクは、前記各水槽が配置されるフレーム構造体の階段の下方の空間に配設されているもので、
前記電解水生成装置を構成する前記濃塩水タンクは、前記フレーム構造体の前記階段の下方部位にある下側枠部に設けた前後方向に延びるレールに前後方向へ移動可能に組付けられているとともに、
前記電解水生成装置を構成する前記電解槽機構部は、前記フレーム構造体の前記階段の下方部位にある下側枠部に設けた前後方向に延びるレールにおける前記濃塩水タンクより後方の部位に前後方向へ移動可能に組付けられていて、
前記濃塩水タンクおよび前記電解槽機構部共に、前記フレーム構造体の前記階段の下方の空間部から前方へ引出し可能に構成されていることを特徴とする切り花展示用フラワーショーケース。
【発明の詳細な説明】
【技術分野】
【０００１】
本発明は、切り花展示用フラワーショーケースに関する。
【背景技術】
【０００２】
切り花展示用フラワーショーケースの一形式として、切り花用の活け水を収容する水槽を階段状に複数段備え、活け水用の水源から活け水を上段側の水槽内に給水するとともに、同上段側の水槽内に給水された活け水を一定の水位に保持しつつ次段の下段側の水槽内にオーバーフローさせて同下段側の水槽内に給水する形式の切り花展示用フラワーショーケースがある（特許文献１，２を参照）。当該形式の切り花展示用フラワーショーケースにおいては、水槽内の活け水に活けられた切り花の鮮度を保って、切り花を、可能なかぎり、長期間の展示に耐えるようにすることが要請される。
【０００３】
しかして、当該形式のフラワーショーケースにおいては、活け水として、通常の水道水や、通常の水道水に延命剤（例えばクリザール：商品名）を添加した水を使用しているのが一般である。しかしながら、このような活け水には、除菌作用が皆無か極めて低いため、当該活け水を収容する水槽内には、水垢やカビ等が早期に発生し易い。
【０００４】
このため、当該フラワーショーケースでは、水槽内の活け水を、高い頻度で、定期的に入れ替えるとともに、新たな活け水を水槽内に給水するに先立って、水槽内の水垢やカビ等をブラシで除去するとともに水槽内を水洗浄し、また、切り花を、花桶を介して水槽内に収容する場合にあっては、使用した花桶の内外の水垢やカビ等をブラシで除去するとともに水洗浄しているのが実状である。切り花を展示する作業者にとっては、水垢やカビ等をブラシで除去する作業を伴う水槽や花桶の洗浄作業は、非常に面倒で時間を要する作業である。
【０００５】
上記した特許文献１にて提案されているフラワーショーケースにおいては、各水槽内の活け水を循環させる特別の循環管路を形成するとともに、当該循環管路の途中に活性化装置を介装して、当該活性化装置内で、循環する活け水の水分子クラスターを細分して活性化し、活性化された活け水を各水槽内に循環供給する手段を採っている。但し、水分子クラスターを細分化された活け水が、水槽内の切り花の鮮度にどの程度の効果を発揮するするのかについては、明確にされてはいない。
【０００６】
一方、切り花の鮮度を保持する手段として、電解水生成装置にて生成される電解生成酸性水を活け水として採用することが提案されている（特許文献３を参照）。当該電解生成酸性水は、殺菌作用が高いため、水槽内での水垢やカビ等の発生を大きく抑制して、切り花の鮮度を長期間保持すべく機能する。使用される電解生成酸性水としては、好ましくは、ｐＨが３以下という強酸性の電解生成酸性水が推奨されている。
【０００７】
本発明者等は、上記した特許文献３にて、切り花用の活け水として推奨されている電解生成酸性水に着目して、当該形式のフラワーショーケースに、電解生成酸性水を生成するための電解水生成装置を装備したフラワーショーケースを開発している。
【０００８】
当該電解水生成装置を装備するフラワーショーケースにおいては、電解水生成装置を活け水の水源として機能させて、電解水生成装置で生成される電解生成酸性水を活け水として水槽内に給水するように構成されている。このため、活け水である電解生成酸性水の殺菌作用や除菌作用によって、水槽内や花桶の内外での水垢やカビ等の発生を大きく抑制して、水槽内の活け水を長時間新鮮に保持することができる。このため、当該フラワーショーケースにおいては、当該活け水が収容されている水槽内に活けられている切り花は、当該活け水に殺菌作用や除菌作用が残存している限りにおいて、その鮮度が長時間保持されることになる。
【先行技術文献】
【特許文献】
【０００９】
【特許文献１】特開２００５−１２５０４９号公報
【特許文献２】特開２００１−３４６６６８号公報
【特許文献３】特許第３０７８７９１号公報
【発明の概要】
【発明が解決しようとする課題】
【００１０】
ところで、当該フラワーショーケースが装備する電解水生成装置は、被電解水を有隔膜電解して電解生成酸性水を生成する有隔膜電解槽を主体とする電解槽機構部と、被電解水である希薄塩水を調製するための濃塩水を収容する濃塩水タンクを主体とする塩水調製機構を備えている。これらの電解槽機構部および濃塩水タンクには、定期的に、また、不定期にも、メンテナンスが要求される。また、濃塩水タンクに収容されている濃塩水は、電解水生成装置の電解運転に応じて漸次消費されて減少し、電解運転の総時間が所定時間に達した際には濃塩水が所定量減少するため、濃塩水または塩を濃塩水タンク内に補充する必要がある。
【００１１】
本発明の目的は、当該フラワーショーケースが装備する電解水生成装置を構成する電解槽機構部や濃塩水タンク等のメンテナンスを容易にし、また、濃塩水タンク内への濃塩水や塩の補充を容易にすることにある。
【課題を解決するための手段】
【００１２】
本発明は、切り花展示用フラワーショーケースに関する。本発明が適用対象とするフラワーショーケースは、切り花用の活け水を収容する水槽を階段状に複数段備えるとともに、電解生成酸性水を活け水として前記各水槽内に給水する電解水生成装置を備え、前記電解水生成装置の電解運転により生成された電解生成酸性水を活け水として上段側の水槽内に給水し、同水槽内に給水された活け水を一定の水位に保持しつつ次段の下段側の水槽内にオーバーフローさせて同下段側の水槽内に給水する切り花展示用フラワーショーケースである。
【００１３】
本発明に係るフラワーショーケースが装備する前記電解水生成装置は、希薄塩水を被電解水とする有隔膜電解にて電解生成酸性水を生成する有隔膜電解槽を主体とする電解槽機構部と、被電解水である希薄塩水を調製するための濃塩水を収容する濃塩水タンクを主体とする塩水調製機構とを備え、前記電解槽機構部および前記濃塩水タンクは、前記各水槽が配置されるフレーム構造体の階段の下方の空間部に配設されているものである。
【００１６】
しかして、本発明に係るフラワーショーケースにおいては、前記電解水生成装置を構成する前記濃塩水タンクは、前記フレーム構造体の前記階段の下方部位にある下側枠部に設けた前後方向に延びるレールに前後方向へ移動可能に組付けられているとともに、前記電解水生成装置を構成する前記電解槽機構部は、前記フレーム構造体の前記階段の下方部位にある下側枠部に設けた前後方向に延びるレールにおける前記濃塩水タンクより後方の部位に、前後方向へ移動可能に組付けられていて、前記濃塩水タンクおよび前記電解槽機構部共に、前記フレーム構造体の前記階段の下方の空間部から前方へ引出し可能に構成されていることを特徴とするものである。
【発明の効果】
【００１７】
本発明に係るフラワーショーケースにおいては、水源である電解水生成装置を構成する濃塩水タンクが、フレーム構造体の階段の下方の空間部からその前方へ引出し可能に構成されている。このため、濃塩水タンク内に濃塩水や塩等を補充するに際しては、フレーム構造体の階段の下方の空間部に配設されている濃塩水タンクを、当該空間部の前方へ引出すことができる。
【００１８】
作業者は、当該空間部の前方へ引出された状態（レールから離脱させた状態を含む）の濃塩水タンク内への濃塩水や塩等の補充を容易に行うことができる。このような補充作業では、濃塩水や塩等を周囲へ飛散させることも少なく、これらの飛散による周囲の汚染はほとんどない。また、濃塩水タンクのメンテナンスにおいても同様であって、当該空間部の前方へ引出された状態の濃塩水タンクのメンテナンスを容易に行うことができる。
【００１９】
また、本発明に係るフラワーショーケースにおいては、水源である電解水生成装置を構成する電解槽機構部が、フレーム構造体の階段の下方の空間部からその前方へ引出し可能に構成されている。このため、電解槽機構部をメンテナンスする際には、フレーム構造体の下方の空間部に配設されている電解槽機構部を、当該空間部の前方へ引出された状態（レールから離脱させた状態を含む）でメンテナンスを容易に行うことができる。
【００２１】
さらに、本発明に係るフラワーショーケースにおいては、電解槽機構部のメンテナンスに比較して頻度の高い濃塩水タンク内への濃塩水や塩等の補充作業を考慮して、濃塩水タンクをレールにおける前方の部位に組付け、かつ、電解槽機構部をレールにおける濃塩水タンクより後方の部位に組付けている。このため、頻繁に行われる濃塩水タンクの前方への引出しを優先して行うことができるとともに、その引出し量を、電解槽機構部の引出し量に比較して少なくすることができて、頻度の高い濃塩水タンク内への濃塩水や塩等の補充作業時の使い勝手が良い。
【図面の簡単な説明】
【００２２】
【図１】本発明の一実施形態に係るフラワーショーケースの正面図である。
【図２】当該フラワーショーケースの側面図である。
【図３】当該フラワーショーケースを構成するフレーム構造体の正面側の斜め上方からみた斜視図である。
【図４】花桶を収容した水槽を縦断しサイドパネルを取り外した状態の当該フラワーショーケースの側面図である。
【図５】当該フラワーショーケースの水経路を主として示す概略構成図である。
【図６】当該フラワーショーケースを構成する水槽を正面側の斜め上方からみた斜視図（ａ）、および、平面図（ｂ）である。
【図７】当該フラワーショーケースを構成する水槽の図６（ｂ）における矢印７−７線方向にみた縦断側面図である・
【図８】当該フラワーショーケースに使用する花桶の正面図（ａ）、側面図（ｂ）、縦断側面図である。
【図９】当該フラワーショーケースが装備する電解水生成装置を構成する電解槽機構部および濃塩水タンクのレールに対する組付け状態を示す正面側の斜め上方からみた斜視図（ａ）、および、正面側の斜め下方からみた斜視図（ｂ）である。
【図１０】当該フラワーショーケースを構成するフレーム構造体の下側枠部の前側に取付けた補強部材を示すフラワーショーケースの正面側の斜め下方からみた斜視図である。
【図１１】当該フラワーショーケースを構成するフレーム構造体の下側枠部の後側に取付け替えした補強部材を示すフラワーショーケースの背面側の斜め下方からみた斜視図である。
【発明を実施するための形態】
【００２３】
本発明は、切り花展示用フラワーショーケースに関する。本発明に係る切り花展示用フラワーショーケースは、切り花用の活け水を収容する水槽を階段状に複数段備えるとともに、電解生成酸性水を活け水として各水槽内に給水する電解水生成装置を備えるものである。また、当該電解水生成装置は、希薄塩水を被電解水とする電解にて電解生成酸性水を生成する有隔膜電解槽を主体とする電解槽機構部と、被電解水である希薄塩水を調製するための濃塩水を収容する濃塩水タンクを主体とする塩水調製機構を備え、各水槽が配置されてフレーム構造体の階段の下方の空間部に配設されているものである。
【００２４】
本発明は、当該フラワーショーケースが装備する電解水生成装置を構成する電解槽機構部や濃塩水タンク等のメンテナンスを容易にし、また、濃塩水タンク内への濃塩水や塩の補充作業を容易にすることを意図している。
【００２５】
図１は、本発明に係るフラワーショーケースの一実施形態を示す正面図、図２は、当該フラワーショーケースの側面図、図３は、当該フラワーショーケースを構成するフレーム構造体の正面側の斜め上方からみた斜視図、図４は、花桶を収容した水槽を縦断し、サイドパネルを取り外した状態の当該フラワーショーケースの側面図、図５は、当該フラワーショーケースの水経路を主として示す概略構成図である。但し、図１および図２に示すフラワーショーケースにおいては、また、図３に示すフレーム構造体においては、下側枠部の四隅に設けられている脚部は省略されている。
【００２６】
当該フラワーショーケースは、図３に示すフレーム構造体１０の各ベースフレームに、図６および図７に示す切り花用の活け水を収容する水槽２０を左右一対、並列配置した状態で、３階段に配置しているもので、フレーム構造体１０における水槽２０（２０ａ，２０ｂ）の配設部位である階段の下方の空間部は機械室となっている。当該機械室には、後述する水源である電解水生成装置４０、電解水生成装置４０の電解運転に要する駆動装置、ドレンパン等が配設されている。
【００２７】
図５には、フレーム構造体１０に配置した各水槽２０（２０ａ，２０ｂ）と、活け水を各水槽２０に給水するための水経路との関係を概略的に示している。なお、図５に示す概略構成図では、便宜上、各ベースフレームの左側に配置される水槽を水槽２０ａと、右側に配置される水槽を水槽２０ｂと表示して、並列配置される両水槽を区別している。但し、両水槽２０ａ，２０ｂは、オーバーフローパイプ２１の設置位置を除き、基本的には同一構成である。このため、これらの水槽を区別して説明する必要がない場合には、これらを単に水槽２０として説明する。
【００２８】
当該フラワーショーケースを構成するフレーム構造体１０は、図３に示すように、水槽２０を配置するためのベースフレームを階段状に３段備えている。フレーム構造体１０は、方形の下側枠部１１の後側部位にて起立する上下方向に長尺の後側柱状枠部１２と、下側枠部１１の前側部位にて起立する上下方向に短尺の前側柱状枠部１３を一体とする枠体で、後側柱状枠部１２の中間部には、左右の各支柱部１２ａ，１２ｂを互いに連結する連結フレーム１４ａが組付けられ、また、左右の各支柱部１２ａ，１２ｂの頂部に設けた前方へ延びる腕部には、各腕部を互いに連結する天板１４ｂが組付けられている。
【００２９】
一方、各柱状枠部１２，１３間には、左右一対のサイドフレーム１５ａ，１５ｂがそれぞれ組付けられている。各サイドフレーム１５ａ，１５ｂは、底部に断面コ字状の溝部１５ｃを備えているもので、サイドフレーム１５ａ，１５ｂの後端部は後側柱状枠部１２を構成する左右の支柱部１２ａ，１２ｂの中間部に組付けられ、かつ、サイドフレーム１５ａ，１５ｂの前端部は前側柱状枠部１３を構成する左右の支柱部１３ａ，１３ｂの上端部に組付けられている。かかる組付構造により、各サイドフレーム１５ａ，１５ｂは、後側柱状枠部１２から前側柱状枠部１３に向かって前方へ下降傾斜する傾斜フレームとなっている。
【００３０】
各サイドフレーム１５ａ，１５ｂの底部に設けた断面コ字状の溝部１５ｃは、後述するように、各水槽２０、各水槽２０に収容した各花桶３０、各花桶３０に挿入された切り花等から垂れる水を受承して下方へ集水すべく機能する。これら両サイドフレーム１５ａ，１５ｂには、各ベースフレーム１６ａ，１６ｂ，１６ｃが下方へ懸垂状態に組付けられている。これらのベースフレーム１６ａ，１６ｂ，１６ｃは、互いに並列配置される両水槽２０ａ，２０ｂを３段に配置する段部を形成している。
【００３１】
当該フラワーショーケースにおいては、フレーム構造体１０を構成する各サイドフレーム１５ａ，１５ｂおよび各ベースフレーム１６ａ，１６ｂ，１６ｃより下方の空間部（階段の下方の空間部）は機械室になっており、また、当該階段より上方の空間部は切り花展示用の空間部となっている。
【００３２】
当該フラワーショーケースにおいては、当該機械室の側部は、図１、図２および図４に示すように、サイドパネル１７ａにて覆蓋されており、各ベースフレーム１６ａ，１６ｂ，１６ｃに載置された各水槽２０の側部は化粧板１７ｂにて覆蓋されており、また、当該切り花展示用の空間部の側部は、ガラス板等透視可能なサイドパネル１７ｃにて覆蓋されている。また、当該機械室の前側は、フロントパネル１８にて覆蓋されている。
【００３３】
このように、当該フレーム構造体１０においては、上段、中段、下段の３段の階段状に組付けられた各ベースフレーム１６ａ，１６ｂ，１６ｃは、水槽２０を３段階に配置する各段部となっていて、各ベースフレーム１６ａ，１６ｂ，１６ｃには、左右一対の水槽２０（２０ａ，２０ｂ）が互いに隣接した並列状態で配置される。
【００３４】
当該フラワーショーケースにおいては、各水槽２０ａ，２０ｂを各ベースフレーム１６ａ，１６ｂ，１６ｃに配置した状態のフレーム構造体１０の下方の空間部（機械室）を構成する下側枠部１１には、電解水生成装置４０を構成する電解槽機構４１、および、被電解水を調製するための濃塩水を収容する濃塩水タンク４２等が配設される。当該電解水生成装置４０は、各水槽２０（２０ａ，２０ｂ）内に、電解生成酸性水を活け水として給水する水源として機能する。なお、当該機械室には、ドレンパン１９や、排水管５４等が配設される。
【００３５】
当該フレーム構造体１０においては、下側枠部１１に、左右一対の支持フレーム１１ａ，１１ｂが並列配置した状態で取付けられている。両支持フレーム１１ａ，１１ｂは、左右方向に所定幅を保持した状態で前後方向に延びていて、当該電解水生成装置４０を構成する電解槽機構部４１および濃塩水タンク４２を組付けるためのレール構造体の取付部位を構成している。
【００３６】
当該フラワーショーケースを構成する水槽２０は、図６および図７に示すように、上方が開口する長方形状を呈する函体２２であって、函体２２を構成する周壁２２ａの内部には多数のリブが立設されている。各リブは、函体２２の内部に、花桶３０を収容する左右一対の収容空間部２２ｂ1，２２ｂ2を形成している。また、各リブは、函体２２の内部における各収容空間部２２ｂ1，２２ｂ2の後方の部位に、函体２２の内部に給水される活け水を受水する左右一対の受水空間部２２ｃ1，２２ｃ2を形成している。さらには、函体２２の内部における各収容空間部２２ｂ1，２２ｂ2ｃの前側の底部には、オーバーフローパイプ２１を立設するための取付孔部２４ａ，２４ｂが形成されている。オーバーフローパイプ２１は、これらの取付孔部２４ａ，２４ｂに対して選択的に取付けられ、オーバーフローパイプ２１が取付けられない方の取付孔部２４ａ，２４ｂは閉塞される。
【００３７】
一方、当該水槽２０の函体２２内には、各花桶３０の外周と函体２２の内壁間に生じる活け水の水流を規制すべく、一対のリブ２３ａ，２３ａが立設されている。各リブ２３ａは、受水空間部２２ｃ1，２２ｃ2に給水された活け水の、各花桶３０の外周と函体２２の周壁２２ａ間を流れる水流を規制する。また、函体２２内には、収容空間部２２ｂ1，２２ｂ2の一隅部のそれぞれに、ガイドとして機能するリブ２３ｂ，２３ｂが立設されている。これらのリブ２３ｂは、各花桶３０を各収容空間部２２ｂ1，２２ｂ2に収容する際、各リブ２３ａと協働して、各花桶３０を各収容空間部２２ｂ1，２２ｂ2に案内する。
【００３８】
当該フラワーショーケースにおいては、当該水槽２０を、フレーム構造体１０の階段の３段の各ベースフレーム１６ａ〜１６ｃ上に、図５に示すように、左右一対配置する構成を採っている。図５では、左側の水槽を水槽２０ａ、右側の水槽を水槽２０ｂとして表示している。
【００３９】
当該フラワーショーケースにおいては、図５に示す各水槽２０ａ，２０ｂのうち、上段の各水槽２０ａ，２０ｂにおけるオーバーフローパイプ２１は、図示左側の取付孔部２４ａに取付けられて起立して、中段の各水槽２０ａ，２０ｂ内の左側の受水空間部２２ｃ1の上方部位に臨み、中段の各水槽２０ａ，２０ｂにおけるオーバーフローパイプ２１は、図示右側の取付孔部２４ｂに取付けられて起立して、下段の各水槽２０ａ，２０ｂ内の右側の受水空間部２２ｃ２の上方部位に臨み、下段の各水槽２０ａ，２０ｂにおけるオーバーフローパイプ２１は、図示左側の取付孔部２４ａに取付けられて起立して、排水管５４に接続されている。
【００４０】
各水槽２０ａ，２０ｂを図５に示すように配置するには、例えば、先ず、各水槽２０ａ，２０ｂを下段のベースフレーム１６ｃに配置し、次いで、各水槽２０ａ，２０ｂを中段のベースフレーム１６ｂに配置し、最後に、各水槽２０ａ，２０ｂを上段のベースフレーム１６ａに配置する。この場合、各水槽２０ａ，２０ｂを中段のベースフレーム１６ｂ上に配置するには、配置すべき各水槽２０ａ，２０ｂの前側の下方の部位を、下段の各水槽２０ａ，２０ｂの後側の上方の部位に重合した状態で、中段のベースフレーム１６ｂ上に載置する。また、各水槽２０ａ，２０ｂを上段のベースフレーム１６ａに配置するには、これと同様、配置すべき各水槽２０ａ，２０ｂの前側の下方の部位を、中段の各水槽２０ａ，２０ｂの後側の上方の部位に重合した状態で、上段のベースフレーム１６ａ上に載置する。
【００４１】
当該フラワーショーケースにおいては、各水槽２０ａ，２０ｂ内には、図４に示すように花桶３０を収容し、各花桶３０内に切り花を挿入して、各花桶３０内に挿入された活け花を展示に供するようになっている。各水槽２０ａ，２０ｂ内への活け水である電解生成酸性水の給水は、電解水生成装置４０を電解運転することによって行われる。当該電解水生成装置４０は、給水管５１を介して、上段の各水槽２０ａ，２０ｂに接続されている。
【００４２】
当該フラワーショーケースにおいては、給水管５１の途中に、三方弁５３ａを介して、電解生成酸性水を注出する注出管５３ｂが接続されていて、三方弁５３ａを切替動作することによって、注出管５３ｂから、電解生成酸性水を注出することができるようになっている。
【００４３】
なお、当該フラワーショーケースにおいては、各水槽２０ａ，２０ｂは排水管を備えていない。各水槽２０ａ，２０ｂ内の活け水の排水は、各水槽２０ａ，２０ｂを清掃する場合であることが多く、この場合には、各水槽２０ａ，２０ｂ内に設置されているオーバーフローパイプ２１を各水槽２０ａ，２０ｂから抜き取れば、各水槽２０ａ，２０ｂ内の活け水をオーバーフローパイプの取付孔部を通して完全に排水されることになる。
【００４４】
電解水生成装置４０は、被電解水を有隔膜電解する有隔膜電解槽を主体とする電解槽機構部４１と、被電解水を調製するための濃塩水を収容する濃塩水タンク４２を主体とする被電解水調製機構からなるもので、電解槽機構部４１を構成する有隔膜電解槽の陽極側電解室が給水管５１を介して、上段の各水槽２０ａ，２０ｂに接続されている。また、有隔膜電解槽には、被電解水の給水管５２が接続されている。給水管５２は、水道管に接続されているとともに、有隔膜解槽の接続部位より上流側の部位に、濃塩水タンク４２が給水管５２ａを介して接続されている。
【００４５】
これにより、濃塩水タンク４２からは、水道水が流れる給水管５２内に、設定された所定量の濃塩水が継続して供給され、濃塩水は給水管５２内を流動する水道水によって希釈されて希薄塩水に調製される。調製された希薄塩水は、被電解水として、電解槽機構部４１を構成する有隔膜電解槽に供給される。当該有隔膜電解槽では、被電解水を有隔膜電解して、陽極側電解室にて電解生成酸性水を生成する。生成された電解生成酸性水は、活け水として、給水管５１を通して上段の各水槽２０ａ，２０ｂ内に給水される。給水された活け水は各水槽２０ａ，２０ｂ内の右側の受水空間部２２ｃ2にて受水される。
【００４６】
当該受水空間部２２ｃ2にて受水された活け水は、リブ２３ａの水流規制作用により、右側の収容空間部２２ｂ2に収容されている花桶３０の下方側部に位置する多数のスリット状穴から花桶３０内に導入されつつ、リブ２３ａの水流規制作用により、左側の収容空間部２２ｂ1に流動し、同収容空間部２２ｂ1に収容されている花桶３０の下方側部に位置する多数のスリット状穴から花桶３０内に導入される。この間、上段の水槽２０ａ，２０ｂ内への給水は継続され、函体２２内が所定の水位に上昇した際には、函体２２内で余剰となった活け水は、左側に立設したオーバーフローパイプ２１を通して、中段の各水槽２０ａ，２０ｂの左側の受水空間部２２ｃ1にオーバーフローして給水されることになる（図５の上段、中段の水槽２０ａ，２０ｂを参照）。
【００４７】
中段の各水槽２０ａ，２０ｂの左側の受水空間部２２ｃ1にて受水された活け水は、左側の収容空間部２２ｂ1に収容されている花桶３０の下方側部に位置する多数のスリット状穴から花桶３０内に導入されつつ、右側の収容空間部２２ｂ2に流動し、同収容空間部２２ｂ2に収容されている花桶３０の下方側部に位置する多数のスリット状穴から花桶３０内に導入される。この間、上段の各水槽２０ａ，２０ｂから中段の各水槽２０ａ，２０ｂ内への給水は継続され、函体２２内が所定の水位に上昇した際には、函体２２内で余剰となった活け水は、右側に立設されたオーバーフローパイプ２１を通して、下段の各水槽２０ａ，２０ｂの右側の受水空間部２２ｃ2にオーバーフローして給水されることになる（図５の中段、下段の水槽２０ａ，２０ｂを参照）。
【００４８】
下段の各水槽２０ａ，２０ｂの右側の受水空間部２２ｃ2にて受水された活け水は、右側の収容空間部２２ｂ2に収容されている花桶３０の下方側部に位置する多数のスリット状穴から花桶３０内に導入されつつ、左側の収容空間部２２ｂ1に流動し、同収容空間部２２ｂ1に収容されている花桶３０の下方側部に位置する多数のスリット状穴から花桶３０内に導入される。この間、中段の各水槽２０ａ，２０ｂから下段の各水槽２０ａ，２０ｂ内への給水は継続され、函体２２内が所定の水位に上昇した際には、函体２２内で余剰となった活け水は、左側に立設されたオーバーフローパイプ２１を通して、排水管５４にオーバーフローして排水されることになる（図５の下段の水槽２０ａ，２０ｂを参照）。
【００４９】
当該フラワーショーケースにおいては、下段の水槽２０ａ．２０ｂ内および各花桶３０内が満杯となって、下段の水槽２０ａ，２０ｂ内の余剰の活け水がオーバーフローパイプ２１を通して所定量排水された場合には、その時点で、電解水生成装置４０の電解運転を停止し、各水槽２０ａ，２０ｂ内への給水を終了させる。
【００５０】
当該フラワーショーケースにおいては、給水管５１の途中に三方弁５３ａを介して、電解生成酸性水を注出する注出管５３ｂが接続されていて、三方弁５３ａを切替動作することによって、注出管５３ｂから、電解生成酸性水を注出することができるようになっている。これは、切り花を購入した人に、注出された電解生成酸性水を活け水として供することを意図している。
【００５１】
当該フラワーショーケースにて使用する花桶３０は、特殊な形状および構造を有するものである。当該花桶３０は、図８に示すように、横断面が略正方形の角状で有底の筒体であって、底部から上端に向けてテーパ状に漸次拡開する筒体３１を主体とする。当該筒体３１は、その上端が斜め下方に切断された状態を呈していて、その上端開口部は斜め下方に傾斜する開口部３１ａとなっている。また、筒体３１の下方の部位の四方の壁部には、互いに並列して上下方向に延びる多数のスリット状穴３１ｂが形成されている。当該花桶３０においては、筒体３１の上端開口部３１ａの外周の全周縁にわたる外向きフランジ状の傾斜面部３２を備えている。当該傾斜面部３２の左右の側縁部には、下方へ延びる下向きフランジ部３３を備えている。
【００５２】
当該花桶３０ａの傾斜面部３２は、上方へ膨出する円弧状で下降傾斜する形状を呈していて、上段の水槽２０ａ，２０ｂ内に収容されている花桶３０の傾斜面部３２の前端部側と、中段の水槽２０ａ，２０ｂ内に収容されている花桶３０の傾斜面部３２の後端部側が互いに嵌合した状態で連係して、また、中段の水槽２０ａ，２０ｂ内に収容されている花桶３０の傾斜面部３２の前端部側と、下段の水槽２０ａ，２０ｂ内に収容されている花桶３０の傾斜面部３２の後端部側が互いに嵌合した状態で連係する。このため、上段、中段および下段の各水槽２０ａ，２０ｂ内に収容されている各花桶３０の各傾斜面部３２同士は、複数の円弧状に盛り上った状態で下降傾斜する上下に一体の下降傾斜面を形成することになる（図１、図２および図４を参照）。
【００５３】
また、花桶３０の側部の下向きフランジ部３３は、花桶３０が水槽２０ａ，２０ｂ内に並列配置されている状態では、互いに対向する側の下向きフランジ部３３同士は当接した状態で連係する。このため、左右の花桶３０同士は起立状態に保持されるとともに、両傾斜面部３２同士は左右に一体の下降傾斜面を形成することになる（図１、図２および図４を参照）。
【００５４】
従って、上記のごとく形成された上下および左右に一体の下降傾斜面は、全ての水槽２０ａ，２０ｂの上方開口部を上側から覆蓋することになる。このため、切り花を花桶３０に挿入する際や、切り花を花桶３０から引き抜く際に、水滴、花弁、葉等は、花桶３０が形成する当該下降傾斜面上に落下し、落下した水滴、花弁、葉等は自らまたは作業者の補助によって当該下降傾斜面上を下方に滑り、最終的には、予め定められた場所に収集される。
【００５５】
ところで、当該フラワーショーケースは、活け水として電解生成酸性水を使用していることから、活け水である電解生成酸性水を生成する電解水生成装置４０を装備している。当該電解水生成装置４０は、希薄塩水を被電解水とする有隔膜電解にて電解生成酸性水を生成する有隔膜電解槽を主体とする電解槽機構部４１と、被電解水である希薄塩水を調製するための濃塩水を収容する濃塩水タンク４２を主体とする塩水調製機構を備えていて、これらの電解槽機構部４１と濃塩水タンク４２は、図４に示すように、フレーム構造体１０の階段の下方の空間部（機械室）に配設されている。
【００５６】
しかして、当該電解水生成装置４０を構成する電解槽機構部４１と濃塩水タンク４２とは、フレーム構造体１０の下側枠部１１に設けた前後方向に延びる一対の支持フレーム１１ａ，１１ｂ（図３，４を参照）に、レール構造体４３を介して取付けられている。
【００５７】
当該レール構造体４３は、図９に示すように、下面板部と一体の左右一対のレール部４３ａ，４３ｂを有するもので、両レール部４３ａ，４３ｂは上端側にて互いに連結されて所定幅を保持しており、正面視が門型形状を呈している。各レール部４３ａ，４３ｂは、起立壁の上端部に設けた外向きフランジ状の上側レール部４３ａ1，４３ｂ1を備えるとともに、起立壁の下端部に設けた内向きフランジ状の下側レール部４３ａ2，４３ｂ2を備えている。
【００５８】
電解槽機構部４１は、その左右の下端部に設けた平板状の支持板４１ａ，４１ｂを介して、両上側レール部４３ａ1，４３ｂ1に載置されている。電解槽機構部４１は、両上側レール部４３ａ1，４３ｂ1に載置さている状態では後方へ倒伏可能であり、倒伏させた電解槽機構部４１は、機械室内に配置した他の部品類に妨げられることなく、前方へ容易に引出すことができる。なお、電解槽機構部４１は常態においては、支持板４１ａ，４１ｂを、両上側レール部４３ａ1，４３ｂ1にネジ止めされて起立している。
【００５９】
濃塩水タンク４２は、タンク本体４２ａと、タンク本体４２ａの上側開口部を液密的に覆蓋して所定長さ前方へ突出する平板状の蓋体４２ｂからなり、蓋体４２ｂには、タンク本体４２ａの開口部に対向する部位に投入口部４２ｃを備え、タンク本体４２ａの開口部から離れた前方の部位にタンク本体４２ａの開口部に取手穴部４２ｄを備えている。投入口部４２ｃは、常態では、脱着可能なキャップにて覆蓋されている。
【００６０】
当該濃塩水タンク４２においては、蓋体４２ｂの下側の左右側部４２ｅ，４２ｆが摺動面に形成されていて、左右側部４２ｅ，４２ｆを、レール構造体４３を構成する下側レール部４３ａ2，４３ｂ2上に載置した吊下状に組付けられている。濃塩水タンク４２は、下側レール部４３ａ2，４３ｂ2上に吊下状に載置されている状態では、 前方へ摺動可能であり、また、前方から後方へ摺動可能である。なお、濃塩水タンク４２は常態においては、蓋体４２ｂを、レール構造体４３にネジ止めされて固定されている。
【００６１】
このような取付状態の電解槽機構部４１および濃塩水タンク４２は、機械室からその前方へ引出すことができ、また、引出された電解槽機構部４１および濃塩水タンク４２を機械室の元の位置へ押込むことができる。なお、当該フラワーショーケースにおいては、機械室の前部を覆蓋するフロントパネル１８は、その上端部を、ターンオーバースプリングを介して、フレーム構造体１０の前部に取付けられていて、跳ね上げ式となっている。電解槽機構部４１および濃塩水タンク４２を引出す際には、当該フロントパネル１８を跳ね上げて、機械室の前側を開放する。なお、フロントパネル１８については、フレーム構造体１０に対して、容易に取外し可能に取付けるようにすることもできる。
【００６２】
当該電解水生成装置４０の電解運転は、活け水である電解生成酸性水を各水槽２０内に給水する場合や、各水槽２０の活け水を入れ替える場合に行われるが、濃塩水タンク４２内の濃塩水は、電解運転時間に応じて漸次消費される。このため、電解運転の延べ時間が所定時間に達した場合には、濃塩水タンク４２内へ濃塩水または塩を補充しなければならない。また、当該電解水生成装置４０の電解運転の延べ時間が、設定された長時間に達した場合には、電解槽機構部４１および濃塩水タンク４２を定期的にメンテナンスしなけらばならない。また、これとは別に、不定期にもメンテナンスをする必要が生じることがある。
【００６３】
当該フラワーショーケースにおいては、濃塩水タンク４２内に濃塩水や塩等を補充する場合には、フロントパネル１８にて覆蓋されている機械室の前側を開放し、必要いより、サイドパネル１７ａを取外して、濃塩水タンク４２に接続されている水系管路を取外すとともに、濃塩水タンク４２のレール構造体４３に対するネジ止めを解除する。この状態の濃塩水タンク４２を、蓋体４２ｂに設けた取手穴部４２ｄを持って、機械室から前方へ引出し、さらには、両下側レール部４３ａ2，４３ｂ2から離脱する。
【００６４】
このように、機械室の前方に引出して両下側レール部４３ａ2，４３ｂ2から離脱させた状態の濃塩水タンク４２に対しては、濃塩水や塩等の補充作業は容易である。蓋体４２ｂに設けた投入口部４２ｃからタンク本体４２ａの濃塩水や塩等の投入作業は確実、かつ容易であって、濃塩水や塩等が周囲へ飛散させることもない。なお、投入口部４２ｃは常態では、図示しないキャップにて密閉されている。
【００６５】
このように、濃塩水や塩等を補充された濃塩水タンク４２は、レール構造体４３の両下側レール部４３ａ2，４３ｂ2に載置した状態で、後方へ所定量移動させれば、元の位置に復帰する。また、元の位置に復帰した濃塩水タンク４２をレール構造体４３にネジ止めするとともに、この状態の濃塩水タンク４２に水系管路を接続すれば、常態に復帰することになる。
【００６６】
また、当該フラワーショーケースにおいては、濃塩水タンク４２や電解槽機構部４１のメンテナンスを行う場合には、先ず、フロントパネル１８により覆蓋されている機械室の前側を開放し、必要により、サイドパネル１７ａを取外して、濃塩水タンク４２に接続されている水系管路を取外すとともに、濃塩水タンク４２のレール構造体４３に対するネジ止めを解除する。この状態の濃塩水タンク４２を、蓋体４２ｂに設けた取手穴部４２ｄを持って、機械室から前方へ引出し、さらには、両下側レール部４３ａ2，４３ｂ2から離脱する。
【００６７】
次いで、電解槽機構部４１に接続されている水系管路を取外すとともに、電解槽機構部４１のレール構造体４３に対するネジ止めを解除する。この状態の電解槽機構部４１を後方へ倒伏させた状態で前方へ引出すか、後方から前方へ押出し、さらには、両上側レール部４３ａ1，４３ｂ１から離脱する。
【００６８】
このように、機械室の前方に引出して両下側レール部４３ａ2，４３ｂ2から離脱した状態の濃塩水タンク４２に対するメンテナンスは極めて容易である。同様に、機械室の前方に引出しまたは押出して両上側レール部４３ａ1，４３ｂ1から離脱した状態の電解槽機構部４１に対するメンテナンスは極めて容易である。
【００６９】
なお、メンテナンスを終えた電解槽機構部４１は、倒伏させた状態で両上側レール部４３ａ1，４３ｂ1に載置して後方へ所定量移動させてこれを引起して、起立させた状態でレール構造体４３にネジ止めし、さらには、これに水系管路を接続すれば常態に復帰する。濃塩水タンク４２についても、上記の通り常態に復帰させることができる。
【００７０】
当該フラワーショーケースにおいては、輸送時には、他の大型の機器や装置と同様に、フォークリフトを使用して、積荷したり積み卸し、また、所定の場所へ搬送する。しかしながら、当該フラワーショーケースを構成するフレーム構造体１０には、フォークリフトの爪を受けるための受承部が存在しない。当該フラワーショーケースでは、この点を考慮して、図１０に示すように、フレーム構造体１０の下側枠部１１の前側のフレーム部１１ｃに、断面Ｌ字状の補強部材１１ｄを、フレーム部１１ｃの下方を覆うように、かつ、取外し可能に取付けている。
【００７１】
また、当該フラワーショーケースを運搬した後、現場に卸して設置する場合には、補強部材１１ｄをフレーム構造体１０の下側枠部１１の前側のフレーム部１１ｃから取外し、図１１に示すように、フレーム構造体１０の下側枠部１１後側のフレーム部１１ｅに取付ける。これにより、当該補強部材１１ｄは、フレーム構造体を補強すべく機能し、各水槽２０内に活け水を満杯にした場合の重量の大幅な増大に対処することができる。
【符号の説明】
【００７２】
１０…フレーム構造体、１１…下側枠部、１１ａ，１１ｂ…支持フレーム、１１ｃ，１１ｅ…フレーム部、１１ｄ…補強部材、１２…後側柱状枠部、１２ａ，１２ｂ…支柱部、１３…前側柱状枠部、１３ａ，１３ｂ…支柱部、１４ａ…連結フレーム、１４ｂ…天板、１５ａ，１５ｂ…サイドフレーム、１５ｃ…溝部、１６ａ，１６ｂ，１６ｃ…ベースフレーム、１７ａ…サイドパネル、１７ｂ…化粧板、１７ｃ…サイドパネル、１８…フロントパネル、２０（２０ａ1，２０ａ2）…水槽、２１…オーバーフローパイプ、２２…函体、２２ａ…周壁、２２ｂ1，２２ｂ2…収容空間部、２２ｃ1，２２ｃ2…受水空間部、２３ａ，２３ｂ…リブ、２４ａ，２４ｂ…取付孔部、３０…花桶、３１…筒体、３１ａ…開口部、３２…傾斜面部、３３…下向きフランジ部、４０…電解水生成装置、４１…電解槽機構部、４１ａ，４１ｂ…支持板、４２…濃塩水タンク、４２ａ…タンク本体、４２ｂ…蓋体、４２ｃ…投入口部、４２ｄ…取手穴部、４２ｅ，４２ｆ…摺動面部、４３…レール構造体、４３ａ，４３ｂ…レール部、４３ａ1，４３ｂ1…上側レール部、４３ａ2，４３ｂ2…下側レール部、５１，５２，５２ａ…給水管、５３ａ…三方弁、５３ｂ…注出管、５４…排水管。
【図１】
0005905235.tif 000002
【図２】
0005905235.tif 000003
【図３】
0005905235.tif 000004
【図４】
0005905235.tif 000005
【図５】
0005905235.tif 000006
【図６】
0005905235.tif 000007
【図７】
0005905235.tif 000008
【図８】
0005905235.tif 000009
【図９】
0005905235.tif 000010
【図１０】
0005905235.tif 000011
【図１１】
0005905235.tif 000012